(57)【特許請求の範囲】
【請求項１】
打撃面となるフェース面を備えたフェース部、及び底部を形成するソール部を有するゴルフクラブヘッドであって、
ヘッド内面から窪み、部分的に前記フェース面の輪郭に沿って伸びる内側凹部と、
ヘッド外面から窪み、部分的に前記フェース面の輪郭に沿って伸びる外側凹部と、を有し、
前記外側凹部は、トウ側に配置された外側トウ凹部と、ヒール側に配置された外側ヒール凹部と、を有し、
前記内側凹部は、トウ側の端部である内側凹部トウ端、及びヒール側の端部である内側凹部ヒール端を有し、
前記外側トウ凹部は、トップ側の端部である外側トウ凹部上端、及びソール側の端部である外側トウ凹部下端を有し、
前記外側ヒール凹部は、トップ側の端部である外側ヒール凹部上端、及びソール側の端部である外側ヒール凹部下端を有し、
前記内側凹部トウ端は、前記外側トウ凹部上端の近傍に位置し、
前記内側凹部ヒール端は、前記外側ヒール凹部上端の近傍に位置することを特徴とするゴルフクラブヘッド。
【請求項２】
打撃面となるフェース面を備えたフェース部、及び底部を形成するソール部を有するゴルフクラブヘッドであって、
ヘッド内面から窪み、部分的に前記フェース面の輪郭に沿って伸びる内側凹部と、
ヘッド外面から窪み、部分的に前記フェース面の輪郭に沿って伸びる外側凹部と、を有し、
前記ソール部に配置されたリブを有し、
前記外側凹部は、複数の凹部を含み、
前記リブは、トウ−ヒール方向において、前記複数の凹部の間に配置されていることを特徴とするゴルフクラブヘッド。
【請求項３】
基準のライ角及び基準のロフト角で水平面に接地した場合に、前記水平面と垂直であり、かつフェース中心を通ってトップ−ソール方向に伸びる直線のソール側において、前記フェース面の輪郭に沿う凹部がないことを特徴とする請求項１又は２に記載のゴルフクラブヘッド。
【請求項４】
前記外側凹部は、基準のライ角及び基準のロフト角で水平面に接地した場合に、上方から視認できない位置に配置されていることを特徴とする請求項１乃至３の何れか一項に記載のゴルフクラブヘッド。
【請求項５】
前記内側凹部は、トウ側の端部である内側凹部トウ端、及びヒール側の端部である内側凹部ヒール端を有し、
前記内側凹部ヒール端は、前記フェース部の背面に位置することを特徴とする請求項１乃至４の何れか一項に記載のゴルフクラブヘッド。
【請求項６】
前記リブは、ヘッド内面から突起する内側リブと、ヘッド外面から突起する外側リブと、を有することを特徴とする請求項２に記載のゴルフクラブヘッド。
【請求項７】
前記ソール部には、ヘッド外面から窪むソール凹部が設けられ、
前記外側リブは、前記ソール凹部に配置されていることを特徴とする請求項６に記載のゴルフクラブヘッド。
【発明の詳細な説明】
【技術分野】
【０００１】
本発明は、ゴルフクラブヘッドに関する。
【背景技術】
【０００２】
従来のゴルフクラブヘッドにおいて、オフセンターヒット時の性能等のヘッド機能を向上させるための様々な技術が検討されている。ヘッド機能を向上させる技術としては、例えば、特許文献１〜１３に記載の技術が挙げられる。ヘッド機能を向上させるためには、フェース部の撓みやすさを十分に考慮することが必要である。また、アドレスに違和感を生じさせないようにすることも必要である。
【先行技術文献】
【特許文献】
【０００３】
【特許文献１】特表２０１５−５２８３８３号公報
【特許文献２】特開２０１５−１０７３３９号公報
【特許文献３】特開２０１４−０８７５７０号公報
【特許文献４】特開２０１４−０２７９７３号公報
【特許文献５】特開２００５−０７３７３６号公報
【特許文献６】特開２００７−３１３３３０号公報
【特許文献７】特開２０００−３１７０１８号公報
【特許文献８】米国特許公開２０１４／０３４２８４８
【特許文献９】米国特許公開２０１４／００４５６１１
【特許文献１０】米国特許公開２０１２／０２７０６７６
【特許文献１１】米国特許公開２０１１／０２１８０５３
【特許文献１２】米国特許公開２０１０／００２９４０４
【特許文献１３】米国特許公開２０１２／０２２０３８９
【発明の概要】
【発明が解決しようとする課題】
【０００４】
本発明は、フェース部の撓みやすさを向上することができるゴルフクラブヘッドを提供することを目的とする。
【課題を解決するための手段】
【０００５】
本ゴルフクラブヘッドは、打撃面となるフェース面を備えたフェース部、及び底部を形成するソール部を有するゴルフクラブヘッドであって、ヘッド内面から窪み、部分的に前記フェース面の輪郭に沿って伸びる内側凹部と、ヘッド外面から窪み、部分的に前記フェース面の輪郭に沿って伸びる外側凹部と、を有し、前記外側凹部は、トウ側に配置された外側トウ凹部と、ヒール側に配置された外側ヒール凹部と、を有し、前記内側凹部は、トウ側の端部である内側凹部トウ端、及びヒール側の端部である内側凹部ヒール端を有し、前記外側トウ凹部は、トップ側の端部である外側トウ凹部上端、及びソール側の端部である外側トウ凹部下端を有し、前記外側ヒール凹部は、トップ側の端部である外側ヒール凹部上端、及びソール側の端部である外側ヒール凹部下端を有し、前記内側凹部トウ端は、前記外側トウ凹部上端の近傍に位置し、前記内側凹部ヒール端は、前記外側ヒール凹部上端の近傍に位置することを要件とする。
【発明の効果】
【０００６】
開示の技術によれば、フェース部の撓みやすさを向上することができるゴルフクラブヘッドを提供できる。
【図面の簡単な説明】
【０００７】
【図１】本実施の形態に係るゴルフクラブヘッド１を例示する図である。
【図２】ゴルフクラブヘッド１のフェース面１１ｆの輪郭Ｆと各凹部との位置関係を示す正面図である。
【図３】ゴルフクラブヘッド１の部分拡大端面図（その１）である。
【図４】ゴルフクラブヘッド１の部分拡大端面図（その２）である。
【発明を実施するための形態】
【０００８】
以下、図面を参照して、実施の形態の説明を行う。なお、各図面において、同一構成部分には同一符号を付し、重複した説明を省略する場合がある。
【０００９】
図１は、本実施の形態に係るゴルフクラブヘッド１を例示する図であり、図１（ａ）は正面図、図１（ｂ）は底面図、図１（ｃ）は左側面図、図１（ｄ）は右側面図である。
【００１０】
図１では、フェース面１１ｆ側から視た図を正面図としており、ゴルフクラブヘッド１を水平面Ｈ（地面に相当）に基準のライ角θ及び基準のロフト角（図示せず）通りに接地した場合を図示している。なお、Ｊはホゼル部１５の穴の中心軸を示している。また、矢印ｄ１はトウ−ヒール方向（左右方向）を、矢印ｄ２はトップ−ソール方向（上下方向）を、矢印ｄ３はフェース−バック方向（前後方向）を示している。
【００１１】
図１に示すゴルフクラブヘッド１は、ウッド型のゴルフクラブヘッドであって、例えばドライバであるが、ユーティリティやフェアウェイウッドであってもよい。ゴルフクラブヘッド１は、例えば、チタン合金、チタン、ステンレス、ベリリウムカッパ等の金属材料を用いて形成することができる。また、ゴルフクラブヘッド１は、複数の部品を接合して組み立てることができる。以下、ゴルフクラブヘッド１について詳説する。
【００１２】
ゴルフクラブヘッド１は、フェース部１１と、クラウン部１２と、ソール部１３と、サイド部１４と、ホゼル部１５とを有する中空構造体である。なお、中空構造体の内側の面をヘッド内面、外側の面をヘッド外面と称する場合がある。
【００１３】
フェース部１１は、打撃面となるフェース面１１ｆを備えた部分である。なお、フェース部１１は所定の厚みを有しており、フェース面１１ｆはフェース部１１の外面をなしている。クラウン部１２は、ゴルフクラブヘッド１の上部を形成する部分である。ソール部１３は、ゴルフクラブヘッド１の底部を形成する部分である。サイド部１４は、クラウン部１２とソール部１３とを繋ぐ部分である。ホゼル部１５は、シャフトと連結される部分である。
【００１４】
図２は、ゴルフクラブヘッド１のフェース面１１ｆの輪郭Ｆと各凹部との位置関係を示す正面図である。また、図３は、ゴルフクラブヘッド１の部分拡大端面図であり、図２のＡ線の位置で紙面垂直方向（フェース−バック方向）に切断したフェース部１１及びクラウン部１２の一部を図示している。図４は、ゴルフクラブヘッド１の部分拡大端面図であり、図２のＡ線の位置で紙面垂直方向（フェース−バック方向）に切断したフェース部１１及びソール部１３の一部を図示している。
【００１５】
Ａは、図２の平面内において水平面Ｈと垂直であって、フェース面１１ｆの輪郭Ｆをトウ−ヒール方向に半分に分割する直線である。また、Ｂは、図２の平面内において水平面Ｈと平行であってフェース面１１ｆの輪郭Ｆをトップ−ソール方向に半分に分割する直線である。図２の平面内における直線Ａと直線Ｂとの交点Ｃがフェース面１１ｆの中心（フェース中心）となる。
【００１６】
図１〜図３を参照するに、ゴルフクラブヘッド１は、部分的にフェース面１１ｆの輪郭Ｆに沿って伸びる内側凹部２１を有している。なお、図２の破線Ｄで囲まれた部分が、内側凹部２１において、フェース面１１ｆの輪郭Ｆに沿って伸びていない部分である。破線Ｄで囲まれた部分を除く内側凹部２１とフェース面１１ｆの輪郭Ｆとの最小距離Ｌ１は、５ｍｍ以上１５ｍｍ以下であることが好ましい。
【００１７】
内側凹部２１は、図１及び図２では視認できないため破線で位置を示しているが、図３に示すように、ヘッド内面からヘッド外面側に向かって窪む溝である。内側凹部２１は、トウ側の端部である内側凹部トウ端２１ａ、及びヒール側の端部である内側凹部ヒール端２１ｂを有している。内側凹部トウ端２１ａはサイド部１４の内面（ヘッド内面の一部）に位置し、内側凹部ヒール端２１ｂはフェース部１１の背面（ヘッド内面の一部）に位置している。
【００１８】
なお、内側凹部２１は、連続する1本の溝である必要はなく、必要に応じ、複数の部分に分割されてもよい。例えば、内側凹部２１を独立した２本の凹部から構成してもよい。
【００１９】
図１及び図２を参照するに、ゴルフクラブヘッド１は、フェース面１１ｆの輪郭に沿って伸びる外側トウ凹部２２及び外側ヒール凹部２３を備えている。外側トウ凹部２２は、トウ側に配置された、ヘッド外面からヘッド内面側に向かって窪む溝である。外側ヒール凹部２３は、ヒール側に配置された、ヘッド外面からヘッド内面側に向かって窪む溝である。
【００２０】
このように、ゴルフクラブヘッド１では、クラウン部１２側及びサイド部１４側の一部に内側凹部２１を設け、サイド部１４側に外側トウ凹部２２、及び外側ヒール凹部２３を設けているが、図２の直線Ａのソール部１３側において、フェース面１１ｆの輪郭Ｆに沿う凹部はない。
【００２１】
外側トウ凹部２２とフェース面１１ｆの輪郭Ｆとの最小距離Ｌ２は、２ｍｍ以上１０ｍｍ以下であることが好ましい。また、外側ヒール凹部２３とフェース面１１ｆの輪郭Ｆとの最小距離Ｌ３は、２ｍｍ以上１０ｍｍ以下であることが好ましい。なお、外側トウ凹部２２及び外側ヒール凹部２３を含めて、単に外側凹部と称する場合がある。
【００２２】
外側トウ凹部２２及び外側ヒール凹部２３は、ゴルフクラブヘッド１を基準のライ角及びロフト角で接地した場合に、上方（クラウン部１２側）から視認できない位置に配置されている。これにより、ゴルフクラブヘッド１の使用者がアドレスした際に、外側トウ凹部２２及び外側ヒール凹部２３が視認されないため、使用者は違和感なくアドレスすることができる。
【００２３】
外側トウ凹部２２は、トップ側の端部である外側トウ凹部上端２２ａ、及びソール側の端部である外側トウ凹部下端２２ｂを有している。同様に、外側ヒール凹部２３は、トップ側の端部である外側ヒール凹部上端２３ａ、及びソール側の端部である外側ヒール凹部下端２３ｂを有している。
【００２４】
外側トウ凹部上端２２ａは、内側凹部トウ端２１ａの近傍に位置している。具体的には、外側トウ凹部上端２２ａと内側凹部トウ端２１ａとの最小距離Ｌ４が、３ｍｍ以上３０ｍｍ以下となるよう両者が配置されている。また、外側ヒール凹部上端２３ａは、内側凹部ヒール端２１ｂの近傍に位置している。具体的には、外側ヒール凹部上端２３ａと内側凹部ヒール端２１ｂとの最小距離Ｌ５が、３ｍｍ以上３０ｍｍ以下となるよう両者が配置されている。
【００２５】
このように、ゴルフクラブヘッド１では、内側凹部２１に内側凹部トウ端２１ａ及び内側凹部ヒール端２１ｂを設けている。これにより、外側トウ凹部２２の外側トウ凹部上端２２ａ及び外側ヒール凹部２３の外側ヒール凹部上端２３ａと内側凹部２１との距離を短くでき、トウ側〜クラウン側〜ヒール側にわたり、凹部でフェース面１１ｆの輪郭Ｆの周囲の大部分を囲むことができる。
【００２６】
内側凹部２１は、インパクト時にフェース部１１のクラウン部１２側及びサイド部１４側の一部を撓ませる役割がある。また、外側トウ凹部２２及び外側ヒール凹部２３は、インパクト時にフェース部１１のサイド部１４側の一部を撓ませる役割がある。
【００２７】
上記のようにクラウン部１２側及びサイド部１４側の一部に内側凹部２１を設け、サイド部１４側に外側トウ凹部２２、及び外側ヒール凹部２３を設けることにより、インパクト時にフェース部１１のクラウン部１２側及びサイド部１４側を大きく撓ませることができる。その結果、フェース面１１ｆでボールを打撃した際の打ち出し角度を高くできると共に、オフセンターで打撃した場合の反発力を向上できる。
【００２８】
なお、図１では、外側トウ凹部２２及び外側ヒール凹部２３のそれぞれの全体がフェース面１１ｆの輪郭Ｆに沿って伸びている。しかし、これには限定されず、外側トウ凹部２２及び外側ヒール凹部２３の一方または双方は、内側凹部２１における破線Ｄで囲まれた部分のように、フェース面１１ｆの輪郭Ｆに沿って伸びていない部分を含んでもよい。
【００２９】
図１及び図４を参照するに、ソール部１３にはヘッド重量調整用部品であるウエイト３０を取り付け可能な取り付け部２４が配置されている。図１（ｂ）では、取り付け部２４にウエイト３０を取り付けた状態を例示しているが、ウエイト３０は着脱可能であって、必要に応じて必要なウエイトを適宜取り付けることができる（つまり、ウエイト３０はゴルフクラブヘッド１の必須の構成要素ではない）。ウエイト３０を用いたウエイト調整により、ゴルフクラブヘッド１の重心位置の調整が可能となる。
【００３０】
ソール部１３において、取り付け部２４の周辺領域には、ヘッド外面から窪むソール凹部１３ｘが設けられている。ソール凹部１３ｘには、底面視において、取り付け部２４を挟んで対向して配置された、ヘッド外面から突起する細長状の外側リブ２５及び２６が設けられている。外側リブ２５及び２６は、底面視において、バック側からフェース側にいくに従って両者の間隔が徐々に狭くなるように傾斜している。
【００３１】
ソール部１３には、ヘッド内面から突起する内側リブ２７が配置されている。内側リブ２７は、底面視において、外側リブ２５と外側リブ２６のトウ−ヒール方向の間（略中間部）であって、フェース面１１ｆ寄りに配置されている。なお、図１（ａ）及び図１（ｂ）では内側リブ２７は視認できないため、破線で位置を示しているが、図４に示すように、内側リブ２７は、ヘッド内面から内側に突起する突起部（破線より内側が内側リブ２７）である。また、図４に示すように、取り付け部２４は、ウエイト３０を取り付けるためのネジ穴である。
【００３２】
外側リブ２５及び２６並びに内側リブ２７は、トウ−ヒール方向において、外側トウ凹部２２の外側トウ凹部下端２２ｂと、外側ヒール凹部２３の外側ヒール凹部下端２３ｂとの間に配置されている。
【００３３】
このように、ソール部１３に外側リブ２５及び２６並びに内側リブ２７を設けることにより、ソール部１３側の剛性を更に高めることができる。その結果、内側凹部２１、外側トウ凹部２２、及び外側ヒール凹部２３による打ち出し角度を高くする効果や、オフセンターで打撃した場合の反発力を向上する効果を更に高めることができる。
【００３４】
また、ソール凹部１３ｘに外側リブ２５及び２６を設けることにより、外側リブ２５及び２６がヘッド外面から突起しないため、安定したアドレスが可能となる。
【００３５】
以上、好ましい実施の形態について詳説したが、上述した実施の形態に制限されることはなく、特許請求の範囲に記載された範囲を逸脱することなく、上述した実施の形態に種々の変形及び置換を加えることができる。
【００３６】
例えば、ホゼル部を、シャフト先端に固着されるスリーブを着脱可能な構成としてもよい。スリーブを用いることで、容易にシャフト交換することができる。また、スリーブ内に設けられたシャフト挿入穴の軸をホゼル部の穴の中心軸に対して傾けて形成することも可能である。この場合、スリーブを軸方向に回転させ、ホゼル部との嵌合位置を変えることで、ライ角やロフト角を可変することができる。
【符号の説明】
【００３７】
１  ゴルフクラブヘッド
１１  フェース部
１１ｆ  フェース面
１２  クラウン部
１３  ソール部
１３ｘ  ソール凹部
１４  サイド部
１５  ホゼル部
２１  内側凹部
２１ａ  内側凹部トウ端
２１ｂ  内側凹部ヒール端
２２  外側トウ凹部
２２ａ  外側トウ凹部上端
２２ｂ  外側トウ凹部下端
２３  外側ヒール凹部
２３ａ  外側ヒール凹部上端
２３ｂ  外側ヒール凹部下端
２４  取り付け部
２５、２６  外側リブ
２７  内側リブ
３０  ウエイト
【図１】
0006749132.tif 000002
【図２】
0006749132.tif 000003
【図３】
0006749132.tif 000004
【図４】
0006749132.tif 000005